(57)【要約】【課題】内蔵型タッチパネルの駆動方法を提供する。【解決手段】タッチパネルの共通電圧層が複数の送信電極及び複数の受信電極に分割され、前記送信電極は第一方向に複数の送信電極線が形成され、前記受信電極は第二方向に複数の受信電極線が形成される。前記送信電極線は複数のグループに分けられる。タッチ制御検知モードでは、複数のグループの送信電極線が同時に走査される。【選択図】図３
2016224897.tif 000002
【特許請求の範囲】
【請求項１】
共通電圧層が複数の送信電極及び複数の受信電極に分割され、前記送信電極は第一方向に複数の送信電極線が形成され、前記受信電極は第二方向に複数の受信電極線が形成される、タッチパネルを提供する工程と、
前記送信電極線が複数のグループに分けられる工程と、
タッチ制御検知モードでは、複数のグループの送信電極線が同時に走査される工程と、を含むことを特徴とする、
内蔵型タッチパネルの駆動方法。
【請求項２】
前記受信電極線が複数のグループに分けられる工程をさらに含むことを特徴とする、請求項１に記載の内蔵型タッチパネルの駆動方法。
【請求項３】
前記送信電極線のグループ数は前記受信電極線のグループ数と同じであることを特徴とする、請求項２に記載の内蔵型タッチパネルの駆動方法。
【請求項４】
異なるグループの送信電極線は異なる送信信号により同時に走査されることを特徴とする、請求項１に記載の内蔵型タッチパネルの駆動方法。
【請求項５】
前記異なる送信信号の内の何れか１つは他の送信信号とは反対になることを特徴とする、請求項４に記載の内蔵型タッチパネルの駆動方法。
【請求項６】
複数の送信電極及び複数の受信電極に分割され、前記送信電極は第一方向に複数の送信電極線が形成され、前記受信電極は第二方向に複数の受信電極線が形成される共通電圧層と、
前記送信電極線及びこれら前記受信電極線に接続されるドライバーとを備え、
前記送信電極線は複数のグループに分けられ、タッチ制御検知モードでは、複数のグループの送信電極線が同時に走査されることを特徴とする、
内蔵型タッチパネル。
【請求項７】
前記受信電極線は複数のグループに分けられることを特徴とする、請求項６に記載の内蔵型タッチパネル。
【請求項８】
前記送信電極線のグループ数は前記受信電極線のグループ数と同じであることを特徴とする、請求項７に記載の内蔵型タッチパネル。
【請求項９】
前記ドライバーには異なる送信信号が使用されて異なるグループの送信電極線が同時に走査されることを特徴とする、請求項６に記載の内蔵型タッチパネル。
【請求項１０】
前記異なる送信信号の内の何れか１つは他の送信信号とは反対になることを特徴とする、請求項９に記載の内蔵型タッチパネル。
【発明の詳細な説明】
【技術分野】
【０００１】
本発明は、内蔵型タッチパネルに関し、より詳しくは、走査時間が短い内蔵型タッチパネルに関する。
【背景技術】
【０００２】
タッチパネルはタッチ制御技術と表示技術とが結合された入出力装置であり、使用者が表示されるオブジェクトを直接インタラクティブに操作できる。静静電容量方式タッチパネルは普及するタッチパネルの１つであり、容量性カップリングを利用してタッチ位置の検知を行う。タッチパネルの表面を指でタッチすると、対応する位置の静電容量が変化するのを利用してタッチ位置の検知を行う。
【０００３】
より薄いタッチパネルを製造するため、内蔵技術を使用して表示器の内部で静電容量を作製することで幾層かを省略させている。内蔵型タッチパネルの共通電圧（ｃｏｍｍｏｎ  ｖｏｌｔａｇｅ）層は表示及びタッチ制御の検知に順に使用される。
【発明の概要】
【発明が解決しようとする課題】
【０００４】
しかしながら、内蔵型タッチパネルの表示解像度が高まると、表示により多くの時間が費やされ、残ったわずかな時間でタッチ制御の検知を行わねばならず、これではタッチ制御の検知のＳＮ比（ＳＮＲ）に影響を及ぼした上に、タッチ制御の精度も低下させた。そこで、本発明者は上記の欠点が改善可能と考え、鋭意検討を重ねた結果、合理的設計で上記の課題を効果的に改善する本発明の提案に到った。
【０００５】
本発明は、以上の実情に鑑みなされたものであって、上記課題解決のため、本発明は、内蔵型タッチパネルの駆動方法を提供することを目的の一つとする。これによって、タッチ制御検知モードの走査時間が大幅に減少し、或いは／且つタッチ制御の精度が大幅に向上する。
【課題を解決するための手段】
【０００６】
上述した課題を解決し、目的を達成するための本発明に係る内蔵型タッチパネルの駆動方法は、共通電圧層が複数の送信電極及び複数の受信電極に分割され、これら前記送信電極は第一方向に複数の送信電極線が形成され、且つこれら前記受信電極は第二方向に複数の受信電極線が形成される、タッチパネルを提供する工程と、これら前記送信電極線が複数のグループに分けられる工程と、タッチ制御検知モードでは、複数のグループの送信電極線が同時に走査される工程とを含むことを特徴とする。
【発明の効果】
【０００７】
本発明によれば、タッチ制御検知モードの走査時間が大幅に減少し、或いは／且つタッチ制御の精度が大幅に向上する。
【図面の簡単な説明】
【０００８】
【図１】本発明の一実施形態に係る内蔵型タッチパネルを示す上面図。
【図２】図１に示す送信電極線を走査する際のタイミングチャート。
【図３】本実施形態において、送信電極線を走査する際のタイミングチャート。
【図４】図１に示す共通電圧層を示す上面図。
【図５】本発明の他の実施形態に係るドライバーが送信電極線を走査する際のタイミングチャート。
【図６】図５に示す共通電圧層に対応する上面図。
【発明を実施するための形態】
【０００９】
以下、本発明の具体的な実施形態について添付図面に基づき説明する。尚、以下に説明する実施の形態は、特許請求の範囲に記載された本発明の内容を限定するものではない。また、以下に説明される構成の全てが、本発明の必須要件であるとは限らない。
【００１０】
図１は本発明の実施形態に係る内蔵型タッチパネル１００を示す上面図である。
本実施形態では、内蔵型タッチパネル１００は、複数の共通電圧電極に分割され、送信（ＴＸ）電極１１１０及び受信（ＲＸ）電極１１２０を構成させる共通電圧（ＶＣＯＭ）層１１を備える。図１は送信電極１１１０及び受信電極１１２０の形状及び形態の例示に過ぎず、本発明をこれに限定させるものではない。
【００１１】
送信電極１１１０は縦方向或いは第一方向に送信電極線１１１が形成され、図１に示すＴＸ＿ＶＣＯＭ［１］からＴＸ＿ＶＣＯＭ［８］である。受信電極１１２０は横方向或いは第二方向に受信電極線１１２が形成され、図１に示すＲＸ＿ＶＣＯＭ［１］からＲＸ＿ＶＣＯＭ［１０］である。第一方向は第二方向に実質的に垂直になるが、但しこれに限定されない。
【００１２】
内蔵型タッチパネル１００は、送信電極線１１１及び受信電極線１１２に電気的に接続されるドライバー１２をさらに備える。タッチ制御検知モードでは、ドライバー１２から送信（ＴＸ）信号が送信電極線１１１に発信され、且つ受信電極線１１２により受信（ＲＸ）信号が受信され、タッチ点を決定させる。表示モードでは、送信電極１１１０及び受信電極１１２０は共通電圧に電気的に接続される。
【００１３】
図２はドライバー１２が送信電極線ＴＸ＿ＶＣＯＭ［１］からＴＸ＿ＶＣＯＭ［８］を走査する際のタイミングチャートを図示する。送信電極線１１１が順に走査され、このため８つの走査周期により全体の走査が完成する（図２参照）。
【００１４】
本実施形態の特徴によれば、送信電極線１１１は複数のグループに分けられる（本例では２つのグループ）。例えば、前４本の送信電極線１１１（ＴＸ＿ＶＣＯＭ［１、２、３、４］）が第一グループ送信電極線１１１を構成させ、後４本の送信電極線１１１（ＴＸ＿ＶＣＯＭ［５、６、７、８］）が第二グループ送信電極線１１１を構成させる。
【００１５】
図１に示すように、受信電極線１１２も複数のグループに分けられる（本例では２つのグループ）。本実施形態では、送信電極線１１１のグループ数は受信電極線１１２のグループ数と同じである。
例えば、前５本の受信電極線１１２（ＲＸ＿ＶＣＯＭ［１、２、３、４、５］）が第一グループ受信電極線１１２を構成させ、第一グループ送信電極線１１１に対応し、タッチ点を決定させる。後５本の受信電極線１１２（ＲＸ＿ＶＣＯＭ［６、７、８、９、１０］）が第二グループ受信電極線１１２を構成させ、第二グループ送信電極線１１１に対応し、タッチ点を決定させる。
【００１６】
タッチ制御検知モードでは、ドライバー１２が２つのグループ送信電極線１１１を同時に走査させる。図３に示すように、時間ｔ１でドライバー１２が第一グループの第一送信電極線ＴＸ＿ＶＣＯＭ［１］及び第二グループの第一送信電極線ＴＸ＿ＶＣＯＭ［５］を同時に走査させる。
本実施形態では、同じ送信信号を使用して複数のグループ送信電極線１１１を同時に走査させる。同様の原理により、他の送信電極線１１１（ＴＸ＿ＶＣＯＭ［２、３、４］及びＴＸ＿ＶＣＯＭ［６、７、８］）も同じ方式で走査を行う。ちなみに、図３に示す実施形態によれば、４つの走査周期のみで全体の走査が完成する。図２では８つの走査周期により全体の走査が完成する。よって、本実施形態によるタッチ制御検知モードの走査時間は半減している。
【００１７】
図４は図１に示す共通電圧層１１を示す上面図である。送信電極１１１０のみを示す。内蔵型タッチパネル１００のゲート線１１３（例えば、Ｇ［１、２、３、４］）は送信電極線１１１の上に垂直になる。１本の（例えば、最も左端）送信電極線１１１が送信信号により走査されると、前記送信信号はゲート線１１３を通して他の送信電極線１１１に接続され、これにより他の送信電極線１１１の精度に影響を与える（図４参照）。
【００１８】
図５は本発明の他の実施形態に係るドライバー１２が送信電極線（ＴＸ＿ＶＣＯＭ［１］からＴＸ＿ＶＣＯＭ［８］）を走査する際のタイミングチャートである。
前の実施形態に類似し（図３参照）、送信電極線１１１が複数のグループに分けられる（本例では２つのグループ）。前の実施形態との差異は、本実施形態では異なる送信信号が使用されて複数のグループ送信電極線１１１を同時に走査させる点である。本実施形態によると、これら前記異なる送信信号の内の何れか１つが他の送信信号とは反対になる。図５は例示であり、２つのグループ送信電極線が第一送信信号及び第二送信信号により同時に走査され、第一送信信号が第二送信信号とは反対になる。
【００１９】
図６は図５に示す共通電圧層１１に対応する上面図であり、図５に相関する送信電極１１１０のみを示す。内蔵型タッチパネル１００のゲート線１１３（例えば、Ｇ［１、２、３、４］）は送信電極線１１１の上に垂直になる。２つのグループ送信電極線１１１は相反する直流平衡（ＤＣ−Ｂａｌａｎｃｅｄ）の送信信号により同時に走査され、これにより、送信信号はゲート線１１３を通さずに他の送信電極線１１１に接続される。このため、タッチ制御の精度が高まる。
【００２０】
本明細書に開示された実施例は、本発明を限定するものではなく、説明するためのものであり、このような実施例によって本発明の思想と範囲が限定されるものではない。
本発明の範囲は特許請求の範囲により解釈すべきであり、それと同等の範囲内にある全ての技術は、本発明の権利範囲に含まれるものと解釈すべきである。
【符号の説明】
【００２１】
１００  内蔵型タッチパネル
１１  共通電圧層
１１１  送信電極線
１１１０  送信電極
１１２  受信電極線
１１２０  受信電極
１１３  ゲート線
１２  ドライバー
ｔ１〜ｔ８  時間
ＴＸ＿ＶＣＯＭ［１、２、３、４］  送信電極線
ＴＸ＿ＶＣＯＭ［５、６、７、８］  送信電極線
ＴＸ＿ＶＣＯＭ［１］  送信電極線
ＴＸ＿ＶＣＯＭ［２］  送信電極線
ＴＸ＿ＶＣＯＭ［３］  送信電極線
ＴＸ＿ＶＣＯＭ［４］  送信電極線
ＴＸ＿ＶＣＯＭ［５］  送信電極線
ＴＸ＿ＶＣＯＭ［６］  送信電極線
ＴＸ＿ＶＣＯＭ［７］  送信電極線
ＴＸ＿ＶＣＯＭ［８］  送信電極線
ＲＸ＿ＶＣＯＭ［１、２、３、４、５］  受信電極線
ＲＸ＿ＶＣＯＭ［６、７、８、９、１０］  受信電極線
Ｇ［１、２、３、４、５］  ゲート線
【図１】
2016224897.tif 000003
【図２】
2016224897.tif 000004
【図３】
2016224897.tif 000005
【図４】
2016224897.tif 000006
【図５】
2016224897.tif 000007
【図６】
2016224897.tif 000008
【手続補正書】
【提出日】平成28年9月21日(2016.9.21)
【手続補正１】
【補正対象書類名】特許請求の範囲
【補正対象項目名】全文
【補正方法】変更
【補正の内容】
【特許請求の範囲】
【請求項１】
複数の送信電極及び複数の受信電極に分割され、前記送信電極は第一方向に複数の送信電極線が形成され、前記受信電極は第二方向に複数の受信電極線が形成される共通電圧層を備えるタッチパネルにおいて、
前記送信電極線が複数のグループに分けられる工程と、
前記受信電極線が複数のグループに分けられる工程と、
タッチ制御検知モードでは、複数のグループの送信電極線が同時に走査される工程と、を含むことを特徴とする、
内蔵型タッチパネルの駆動方法。
【請求項２】
前記送信電極線のグループ数は前記受信電極線のグループ数と同じであることを特徴とする、請求項１に記載の内蔵型タッチパネルの駆動方法。
【請求項３】
異なるグループの送信電極線は異なる送信信号により同時に走査されることを特徴とする、請求項１に記載の内蔵型タッチパネルの駆動方法。
【請求項４】
前記異なる送信信号の内の何れか１つは他の送信信号とは反対になることを特徴とする、請求項３に記載の内蔵型タッチパネルの駆動方法。
【請求項５】
複数の送信電極及び複数の受信電極に分割され、前記送信電極は第一方向に複数の送信電極線が形成され、前記受信電極は第二方向に複数の受信電極線が形成される共通電圧層と、
前記送信電極線及びこれら前記受信電極線に接続されるドライバーとを備え、
前記送信電極線は複数のグループに分けられ、タッチ制御検知モードでは、複数のグループの送信電極線が同時に走査され、
前記受信電極線は複数のグループに分けられることを特徴とする、
内蔵型タッチパネル。
【請求項６】
前記送信電極線のグループ数は前記受信電極線のグループ数と同じであることを特徴とする、請求項５に記載の内蔵型タッチパネル。
【請求項７】
前記ドライバーには異なる送信信号が使用されて異なるグループの送信電極線が同時に走査されることを特徴とする、請求項５に記載の内蔵型タッチパネル。
【請求項８】
前記異なる送信信号の内の何れか１つは他の送信信号とは反対になることを特徴とする、請求項７に記載の内蔵型タッチパネル。